(57)【要約】【課題】通知サーバを介して通知を行う場合において、登録者に通知が届くことを確実にするシステムを提供する。【解決手段】通知サーバ４００に登録端末２００から追加通知先指定データが供給されたとき、通知サーバ４００は設定告知キーを作成してこれを追加通知先指定データに対応した利用者端末５００に転送した後に、通知元サーバ３００から供給される確認告知キーを待って、設定告知キーと一致する確認告知キーが供給されたとき、通知元サーバ３００に登録完了通知を転送すると共に追加通知先指定データによって指定された通知先を指定通知先リストに加える。一方、通知元サーバ３００は利用者端末５００もしくは登録端末２００から設定告知キーを受信したときこれを確認告知キーとして通知サーバ４００に転送し、通知サーバ４００から登録完了通知を受信したとき、追加通知指定先指定データによって指定された通知先を登録者として登録する。【選択図】　図１
2004032108.tif 000002
【特許請求の範囲】
【請求項１】
登録端末から供給される登録者情報データに基づいて登録者リストを生成しこれを管理しかつ通知情報データの生成を行う通知元サーバと、前記通知情報データを指定通知先リストに対応した利用者端末に転送する通知サーバと、を含む通知装置であって、
前記通知サーバは、前記登録端末から追加通知先指定データが供給されたとき、設定告知キーを作成してこれを前記追加通知先指定データに対応した利用者端末に転送した後に、前記通知元サーバから供給される確認告知キーを待って、前記設定告知キーと一致する確認告知キーが供給されたとき、前記通知元サーバに登録完了通知を転送すると共に前記追加通知先指定データによって指定された通知先を前記指定通知先リストに加え、
前記通知元サーバは、前記利用者端末もしくは前記登録端末から前記設定告知キーを受信したときこれを前記確認告知キーとして前記通知サーバに転送し、前記通知サーバから前記登録完了通知を受信したとき、前記追加通知先指定データによって指定された通知先を登録者として登録する、
ことを特徴とする通知装置。
【請求項２】
請求項１記載の通知装置であって、前記設定告知キーデータは画像データまたは非画像データであることを特徴とする通知装置。
【請求項３】
前記通知サーバは、前記追加通知先指定データを受信したとき、承認要求画面を前記設定告知キーに加えて前記利用者端末に転送し前記利用端末からの承認情報を待って、これを受信したとき初めて、前記設定告知キーを前記通知元サーバに転送することを特徴とする請求項１記載の通知装置。
【請求項４】
前記通知サーバが複数の通知サーバユニットから成り、前記通知サーバユニットの各々が、前記登録端末から追加通知先指定データが供給されたとき、それぞれの設定告知キーを生成してこれらを前記利用者端末に転送することを特徴とする請求項１記載の通知装置。
【請求項５】
前記指定通知先リストに対応する利用者端末が複数であり、前記通知サーバが前記利用者端末の各々に前記設定告知キーを転送することを特徴とする請求項１記載の通知装置。
【発明の詳細な説明】
【０００１】
【発明が属する技術分野】
本発明は、ネットワークを介して指定通知先に対応した利用者端末に通知情報データを転送する通知装置に関する。
【０００２】
【従来の技術】
従来、ネットワーク内において指定された通知先に通知を行う場合には、通知先として登録されたアドレスに対して通知元サーバから発行された通知が通知サーバ経由で通知される通知装置が知られている。
例えば、特開平９−３２１７９１号によって開示された電子メール転送方法及び装置において、通知を受ける者に仮想アドレスを割り振りそのアドレスに届いたメールを設定された条件に従い実アドレスに転送するものがあるが、ここにメールを送る者を通知元サーバ、実アドレスでメールを受け取る者を通知を受け取る者として仮想アドレスを処理し実アドレスへ転送するサーバを通知サーバとして扱うことができる。このとき、転送サーバにおける送信先の登録は転送サーバ内で閉じており、通知元サーバには登録に関して情報が渡されることは無く、通知元サーバにおける通知先の登録とは明らかに別々に行われる。
【０００３】
【発明が解決しようとする課題】
例えばかかる装置を利用したメール転送においては、予め設定された条件に従って実アドレスへの転送が行われ、また指定された通知先が実際に登録者本人に届くものか否かの確認は通知元サーバにはできないため、実際には登録者本人がいないところへメール転送が行われてメールを受け取ることができなかったり、他人に通知される事態が起き得る。
【０００４】
ここで、本発明の目的は、登録者に通達されるべき通知が正しく本人に届くことを確実にする通知装置を提供することである。
【０００５】
【課題を解決するための手段】
登録端末から供給される登録者情報データに基づいて登録者リストを生成し、これを管理しかつ通知情報データの生成を行う通知元サーバと、前記通知情報データを指定通知先リストに対応した利用者端末に転送する通知サーバと、を含む通知装置であって、前記通知サーバは、前記登録端末から追加通知先指定データが供給されたとき、設定告知キーを作成してこれを前記追加通知先指定データに対応した利用者端末に転送した後に、前記通知元サーバから供給される確認告知キーを待って、前記設定告知キーと一致する確認告知キーが供給されたとき、前記通知元サーバに登録完了通知を転送すると共に前記追加通知先指定データによって指定された通知先を前記指定通知先リストに加えることと、前記通知元サーバは、前記利用者端末もしくは前記登録端末から前記設定告知キーを受信したときこれを前記確認告知キーとして前記通知サーバに転送し、前記通知サーバから前記登録完了通知を受信したとき、前記追加通知指定先指定データによって指定された通知先を登録者として登録する、ことを特徴としている。
【０００６】
【発明の実施の形態】
以下、本発明の実施例を図面を参照しつつ詳細に説明する。
図１は本発明の第１実施例である通知装置の構成を示している。第１実施例の通知装置は、登録者１００が操作できる入出力装置２０１及び通信装置２０２を含む登録端末２００と、通信装置３０１及び登録者情報を記録するための記憶装置３０２とを含む通知を発行する装置である通知元サーバ３００と、通信装置４０１と記憶装置４０２を備え乱数字生成機能と記憶装置内の検索機能を有する通知サーバ４００と、入出力装置５０１及び通信装置５０２を含む登録者１００が有する携帯電話やページャなどの携帯端末及びネットワーク端末などの利用者端末５００と、を含む。
【０００７】
次に、図２のフローチャートを参照しつつ第１の実施例における通知先登録動作シーケンスについて説明する。
登録者１００が登録端末２００に入出力装置２０１を用いて通知先及びその他通知元サーバ３００が定めた通知元サーバ３００への登録に必要となる例えば登録者の名前などの登録者情報を入力する（ステップＳ１０１）。そうすると、登録端末２００は通信装置２０２を用いて通知サーバ４００に通知先を送信する（ステップＳ１０２）。通知サーバ４００が通知先を受信すると文字／数字列データ等の画像データまたは音声／メロディ等の非画像データからなる設定告知キーを生成し、生成した設定告知キーとステップＳ１０２で送られた通知先を組として記憶装置４０２に記録する（ステップＳ１０３）。
【０００８】
次いで、通知サーバ４００はステップＳ１０３で生成した設定告知キーを通信装置４０１を使用して利用者端末５００に送信する。利用者端末５００が入出力装置５０１を介して受信した設定告知キーを表示すると（ステップＳ１０４）、これを見た（ステップＳ１０５）登録者１００が利用者端末５００の入出力装置５０１に表示された設定告知キーを入出力装置２０１を介して登録端末２００に入力する（ステップＳ１０６）。なお、登録端末の初期画面に利用者端末に表示された設定告知キーと同じキーを入力することを案内する案内画面を表示すれば、より登録者が利用し易くなる。登録端末２００は登録者によって入力された設定告知キーと同一のキーと共にステップＳ１０１で入力された登録情報を通信装置２０２を使用して通知元サーバ３００に送信する（ステップＳ１０７）。
【０００９】
通知元サーバ３００は受信した設定告知キーを確認告知キーとして通信装置３０１を使用して通知サーバ４００に送信する（ステップＳ１０８）。通知サーバ４００が確認告知キーを受信すると、記憶装置４０２内でステップＳ１０７で受け取った確認告知キーに一致する設定告知キーおよび情報（ステップＳ１０２で送られた通知先）を検索し、検索されたものを通知先として登録する（ステップＳ１０９）。さらに通知サーバ４００は完了通知を通知元サーバ３００に送信する（ステップＳ１１０）。
【００１０】
通知元サーバ３００は完了通知を受信するとステップＳ１０７で送られた情報に基づき登録を行い、記憶装置３０２に記憶し（ステップＳ１１１）、次いで通知元サーバ３００は完了通知を登録端末２００に送信する（ステップＳ１１２）。登録端末２００は完了通知を受信すると、登録が完了したことを入出力装置２０１を使用して表示し登録完了を登録者に示す（ステップＳ１１３）。
【００１１】
上記した第１実施例においては、登録処理中に利用者端末に登録を実行するための情報を送信することにより登録が完了するのは通知先に通知が行える場合のみであり、登録者本人に通知が届くことが確実になる。
以下に、図３のフローチャートを参照しつつ、第２実施例における通知先登録の動作シーケンスについて説明する。
【００１２】
登録者１００が登録端末２００の入出力装置２０１を用いて通知先及びその他通知元サーバ３００が定めた通知元サーバ３００への登録に必要となる例えば登録者の名前などの登録者情報を入力する（ステップＳ２０１）。そうすると、登録端末２００は通信装置２０２を用いて、通知サーバ４００に通知先を送信し（ステップＳ２０２）、さらにステップＳ２０１で入力された登録情報を通知元サーバ３００に送信する（ステップＳ２０３）。通知サーバ４００が通知先を受信すると、文字／数字列データ等の画像データまたは音声／メロディ等の非画像データからなる設定告知キーを生成し、生成した設定告知キーとステップＳ２０２で送られた通知先を組として記憶装置４０２に記録する（ステップＳ２０４）。
【００１３】
次いで、通知サーバ４００はステップＳ２０４で生成した設定告知キーを通信装置を使用して利用者端末５００に送信する。このとき、登録の承認を求める承認要求画面を当該設定告知キーと共に表示することを利用者端末に指令する（ステップＳ２０５）。
利用者端末５００が当該設定告知キーを受信すると、入出力装置５０１を介して当該承認要求画面の表示を行う（ステップＳ２０６）。これを見た登録者１００が利用者端末５００の入出力装置５０１を介して登録を承認する（ステップＳ２０７）と、利用者端末５００は通信装置５０２を使用してステップＳ２０５で受信した設定告知キーを通知元サーバ３００へ送信する（ステップＳ２０８）。
【００１４】
通知元サーバ３００は受信した設定告知キーを確認告知キーとして通信装置３０１を使用して通知サーバ４００に送信する（ステップＳ２０９）。通知サーバ４００が確認告知キーを受信すると、記憶装置４０２内でステップＳ２０７で受け取った確認告知キーに一致する設定告知キーおよび情報（ステップＳ２０２で送られた通知先）を検索し、見つかったものを通知先として登録する（ステップＳ２１０）。
【００１５】
通知サーバ４００が完了通知を通知元サーバ３００に送信する（ステップＳ２１１）と、通知元サーバ３００はステップＳ４０３で送られた登録者情報に基づき登録を行い、記憶装置３０２に記憶し（ステップＳ２１２）、次いで通知元サーバ３００は完了通知を登録端末２００に送信する（ステップＳ２１３）。登録端末２００は登録は完了通知を受信すると登録が完了したことを入出力装置２０１を使用して表示し登録完了を登録者に示す（ステップＳ２１４）。
【００１６】
本実施例によれば、キーの入力ミスによる登録失敗が発生しなくなる。加えて、登録端末における入力操作が一人の登録者につき一度で済む故、直前に入力した登録者についての登録完了を待たずに次の登録動作を開始することができる。図４は本発明の第３実施例である通知装置の構成を示している。本実施例では第１実施例の構成にもう１台通知サーバを加えそれぞれ通知サーバ　Ｉ　ユニット４００および通知サーバ　ＩＩ　ユニット４５０とする。
図５のフローチャートを参照しつつ、第３の実施例における通知先登録の動作シーケンスについて説明する。
【００１７】
登録者１００が登録端末に入出力装置を用いて通知先及びその他通知元サーバが定めた通知元サーバへの登録に必要となる例えば登録者の名前などの登録者情報を入力する（ステップＳ３０１）。そうすると、登録端末２００が通信装置２０２を用いて通知サーバ　Ｉ　ユニット４００に通知先を送信する（ステップＳ３０２）。通知サーバ　Ｉ　ユニット４００が通知先を受信すると、文字／数字列等の画像データまたは音声／メロディ等の非画像データからなる設定告知キーを生成し、生成した設定告知キーとステップＳ３０２で送られた通知先を組として記憶装置４０２に記録する（ステップＳ３０３）。
【００１８】
次いで、通知サーバ　Ｉ　ユニット４００はステップＳ３０３で生成した設定告知キーをキー１として通信装置４０１を使用してステップＳ３０２で受信した通知先とともに通知サーバ　ＩＩ　ユニット４５０に送信する（ステップＳ３０４）。通知サーバ　ＩＩ　ユニット４５０は通知先及び設定告知キー１を受信すると、文字／数字列等の画像データまたは音声／メロディ等の非画像データからなる設定告知キーを生成し、ここで生成した設定告知キーと通知先を組として記憶装置４５２に仮登録して記録する（ステップＳ３０５）。次いで通知サーバ　ＩＩ　ユニット４５０はステップＳ３０５で生成した設定告知キーを設定告知キー２として通信装置４５１を使用してステップＳ３０４で受信した設定告知キー１とともに利用者端末５００に送信する（ステップＳ３０６）。
【００１９】
利用者端末５００が入出力装置５０１を介して受信した２つの設定告知キーを表示すると（ステップＳ３０７）、これを見た登録者１００が利用者端末５００の入出力装置５０１に表示された２つの設定告知キーを入出力装置２０１を介して登録端末２００に入力する（ステップＳ３０８）。なお、登録端末の初期画面に利用者端末に表示された確認告知キーと同じキーを入力することを案内する案内画面を表示すれば、より登録者が利用し易くなる。登録端末２００は登録者によって入力された２つの設定告知キーと同一のキーと共にステップＳ３０１で入力された登録情報を通信装置２０２を使用して通知元サーバ３００に送信する（ステップＳ３０９）。
【００２０】
通知元サーバ３００は受信した２つの設定告知キーを確認告知キーとして通信装置３０１を使用して通知サーバ　Ｉ　ユニット４００に送信する（ステップＳ３１０）。通知サーバ　Ｉ　ユニット４００は確認告知キーを受信すると、受信したキーのうちキー２を通信装置４０１を使用して通知サーバ　ＩＩ　ユニット４５０に送信する（ステップＳ３１１）。
【００２１】
通知サーバ　ＩＩ　ユニット４５０は確認告知キーを受信すると、記憶装置４５２にステップＳ３１１で受け取った確認告知キーに一致する設定告知キーおよび情報（ステップＳ１０２で送られた通知先）を検索し、見つかったものを仮登録から本登録に変更する（ステップＳ３１２）。次いで通知サーバ　ＩＩ　ユニット４５０は完了通知を通知サーバ　Ｉ　ユニット４００に送信する（ステップＳ３１３）。通知サーバ　Ｉ　ユニット４００は完了通知を受信すると記憶装置４０２にステップＳ３０９で受け取った確認告知キー１に一致する設定告知キーおよび情報（ステップＳ１０２で送られた通知先）を検索し、見つかったものを仮登録から本登録に変更する（ステップＳ３１４）。次いで通知サーバ　Ｉ　ユニット４００は完了通知を通知元サーバ３００に送信する（ステップＳ３１５）。
【００２２】
通知元サーバ３００が完了通知を受信すると、ステップＳ３０７で送られた情報に基づき登録を行い、記憶装置３０２に記憶し（ステップＳ３１６）、さらに通知元サーバは完了通知を登録端末２００に送信する（ステップＳ３１７）。登録端末２００は完了通知を受信すると登録が完了したことを入出力装置２０１を使用して表示し登録完了を登録者１００に示す（ステップＳ３１８）。
【００２３】
上記した第３実施例においては、複数の通知サーバを経由する場合においても登録が完了するのは通知先に通知が行える場合のみであり、登録者本人に通知が確実に届く。
図６は本発明の第４実施例である通知装置の構成を示している。本実施例では第１実施例の構成にもう１台利用者端末を加えそれぞれ利用者端末　Ｉ　ユニット５００および利用者端末　ＩＩ　ユニット５５０とする。
図７のフローチャートを参照しつつ、第４実施例における通知先登録の動作シーケンスについて説明する。
【００２４】
登録者１００が登録端末２００に入出力装置２０１を用いて通知先及びその他通知元サーバが定めた通知元サーバ３００への登録に必要となる例えば登録者の名前などの登録者情報を入力する（ステップＳ４０１）。そうすると、登録端末２００が通信装置２０２を用いて通知サーバ４００に通知先を送信する（ステップＳ４０２）。通知サーバ４００が通知先を受信すると文字／数字列等の画像データまたは音声／メロディ等の非画像データからなる設定告知キーを、設定告知キー１、設定告知キー２として生成し、２つの設定告知キーとステップＳ４０２で送られた通知先、この場合は２個所、を組として記憶装置４０２に仮登録して記録する（ステップＳ４０３）。次いで通知サーバ４００がステップＳ４０３で生成した設定告知キーを通信装置４０１を使用して設定告知キー１を利用者端末Ｉ　ユニット５００に、設定告知キー２を利用者端末　ＩＩ　ユニット５５０に送信する（ステップＳ４０４）。
【００２５】
利用者端末　Ｉ　ユニット５００並びに利用者端末　ＩＩ　ユニット５５０がそれぞれ入出力装置５０１、入出力装置５５１を介して受信した設定告知キーを表示すると（ステップＳ４０５）、これを見た登録者１００が利用者端末　Ｉ　ユニット５００の入出力装置５０１および利用者端末　ＩＩ　ユニット５５０の入出力装置５５１に表示された２つのキーを入出力装置２０１を介して登録端末２００に入力する（ステップＳ４０６）。なお、登録端末の初期画面に利用者端末に表示された設定告知キーと同じキーを入力することを案内する案内画面を表示すれば、より登録者が利用し易くなる。登録端末２００は登録者によって入力された２つの設定告知キーと同一のキーと共にステップＳ４０１で入力された登録情報を通信装置２０２を使用して通知元サーバ３００に送信する（ステップＳ４０７）。
【００２６】
通知元サーバ３００は受信した２つの設定告知キーを確認告知キーとして通信装置３０１を使用して通知サーバ４００に送信する（ステップＳ４０８）。通知サーバ４００は確認告知キーを受信すると、記憶装置４０２内でステップＳ４０７で受け取ったキーに一致する設定告知キーおよび情報（ステップＳ４０２で送られた通知先）を検索し、見つかったものを仮登録から本登録に変更する（ステップＳ４０９）。次いで通知サーバ４００は完了通知を通知元サーバ３００に送信する（ステップＳ４１０）。
【００２７】
完了通知を受信した通知元サーバ３００はステップＳ４０７で送られた情報に基づき登録を行い、記憶装置３０２に記憶し（ステップＳ４１１）、次いで通知元サーバ３００は完了通知を登録端末２００に送信する（ステップＳ４１２）。登録端末２００は完了通知を受信すると登録が完了したことを入出力装置２０１を使用して表示し登録完了を登録者１００に示す（ステップＳ４１３）。
【００２８】
上記した第４実施例においては、複数の通知先に通知を行う場合であっても、登録が完了するのはいずれの通知先にも通知が行える場合のみである。
以下に、図８のフローチャートを参照しつつ、第５実施例における通知先登録の動作シーケンスについて説明する。
登録者１００が登録端末２００に入出力装置２０１を用いて通知先及びその他通知元サーバが定めた通知元サーバ３００への登録に必要となる例えば登録者の名前などの登録者情報を入力する。（ステップＳ５０１）。そうすると、登録端末２００が通信装置２０２を用いて通知サーバ４００に通知先を送信する（ステップＳ５０２）。通知サーバ４００が通知先を受信すると文字／数字列等の画像データまたは音声／メロディ等の非画像データからなる設定告知キーを生成し、生成した設定告知キーとステップＳ５０２で送られた通知先を組として記憶装置４０２に記録する（ステップＳ５０３）。次いで通知サーバ４００はステップＳ５０３で生成した設定告知キーを通信装置４０１を使用して利用者端末　Ｉ　ユニット５００および利用者端末　ＩＩ　ユニット５５０に送信する（ステップＳ５０４）。
利用者端末　Ｉ　ユニット５００並びに利用者端末　ＩＩ　ユニット５５０がそれぞれ入出力装置５０１、入出力装置５５１を介して受信した設定告知キーを表示すると（ステップＳ５０５）、登録者１００は利用者端末　Ｉ　ユニット５００の入出力装置５０１または利用者端末　ＩＩ　ユニット５５０の入出力装置５５１に表示された設定告知キーのいずれかの表示を見て入出力装置２０１を介して登録端末２００に入力する（ステップＳ５０６）。なお、登録端末の初期画面に利用者端末に表示された設定告知キーと同じキーを入力することを案内する案内画面を表示すれば、より登録者が利用し易くなる。登録端末２００は登録者によって入力された設定告知キーと同一のキーと共にステップＳ５０１で入力された登録情報を通信装置２０１を使用して通知元サーバ３００に送信する（ステップＳ５０７）。
【００２９】
通知元サーバ３００は受信した設定告知キーを確認告知キーとして通信装置３０１を使用して通知サーバ４００に送信する（ステップＳ５０８）。通知サーバ４００が確認告知キーを受信すると、記憶装置内でステップＳ５０７で受け取った確認告知キーに一致する設定告知キーおよび情報（ステップＳ５０２で送られた通知先）を検索し、見つかったものを通知先として登録する（ステップＳ５０９）。次いで通知サーバ４００は完了通知を通知元サーバ３００に送信する（ステップＳ５１０）。
【００３０】
完了通知を受信した通知元サーバ３００はステップＳ５０７で送られた情報に基づき登録を行い、記憶装置３０２に記憶し（ステップＳ５１１）、次いで通知元サーバ３００は完了通知を登録端末２００に送信する（ステップＳ５１２）。登録端末２００は完了通知を受信すると登録が完了したことを入出力装置２０１を使用して表示し登録完了を登録者１００に示す（ステップＳ５１３）。
【００３１】
上記した第５実施例においては、複数の通知先のうち通知可能な端末の登録のみが行われ、複数の通知先のいずれかに届けば良い場合であっても登録者本人に通知が届くことが確実になる。
【００３２】
【発明の効果】
以上の如く、本発明の通知装置によれば、意図された登録者に通知が届くことが確実になる。
【００３３】
【図面の簡単な説明】
【図１】本発明の第１及び第２実施例のシステム構成を示すブロック図である。
【図２】本発明の第１実施例における通知先登録の動作シーケンスを示すシーケンス図である。
【図３】本発明の第２実施例における通知先登録の動作シーケンスを示すシーケンス図である。
【図４】本発明の第３実施例のシステム構成を示すブロック図である。
【図５】本発明の第３実施例における通知先登録の動作シーケンスを示すシーケンス図である。
【図６】本発明の第４及び第５実施例のシステム構成を示すブロック図である。
【図７】本発明の第４実施例における通知先登録の動作シーケンスを示すシーケンス図である。
【図８】本発明の第５実施例における通知先登録の動作シーケンスを示すシーケンス図である。
【符号の説明】
１００　登録者
２００　登録端末
３００　通知元サーバ
４００　通知サーバ
５００　利用者端末
【図１】
2004032108.tif 000003
【図２】
2004032108.tif 000004
【図３】
2004032108.tif 000005
【図４】
2004032108.tif 000006
【図５】
2004032108.tif 000007
【図６】
2004032108.tif 000008
【図７】
2004032108.tif 000009
【図８】
2004032108.tif 000010